(57)【要約】【課題】ユーザの使い勝手を損なうことなく安全に無線ネットワーク接続を行うことの可能な情報処理装置、情報処理方法、情報処理プログラムを提供する。【解決手段】ユーザは、無線通信装置７００の表示部７５０にメニューを表示させ、そのメニューの中から「ＱＲコードでコンテンツ取得」というアイコンを選択する。すると、無線通信装置７００のカメラ部７３０が起動し、ＱＲコードを撮像可能な状態となる。ユーザは、無線通信装置７００のカメラ部７３０を、デジタルＴＶ５００のモニタ５３０に表示されたＱＲコード（図７）の前にかざし、カメラ部７３０で、所望のＱＲコードを撮像する。すると、カメラ部７３０で撮像されたＱＲコードに含まれるネットワーク識別情報を利用した認証が行われるとともに鍵交換も行われ、無線通信装置７００が有線ネットワーク１００に接続され、有線ネットワーク１００上のコンテンツが無線通信装置７００に転送される。【選択図】図７
2011259372.tif 000002
【特許請求の範囲】
【請求項１】
ネットワーク上の他のデバイスと通信を行う通信部と、
前記ネットワーク上の他のデバイスまたは自身が保有するコンテンツのアドレス情報と、前記ネットワーク上のアクセスポイントの無線ネットワークへの無線デバイスの参加を認証するためのネットワーク識別情報と、コンテンツごとに設定された処理指定情報とを用いて、これらの情報を示す画像情報をコンテンツごとに生成する画像生成部と、
前記画像生成部によって生成された画像情報をコンテンツリストとともに画面に表示することを表示装置に要求する表示要求部と
を備えた情報処理装置。
【請求項２】
前記通信部は、前記ネットワーク識別情報を、前記ネットワーク上のレジストラ機能実装デバイスから取得する
請求項１に記載の情報処理装置。
【請求項３】
前記ネットワーク上の他のデバイスが前記コンテンツを保有している場合には、前記通信部が、前記アドレス情報および前記処理指定情報をそのデバイスから取得し、
当該情報処理装置が前記コンテンツおよび前記処理指定情報を記憶領域に保有している場合には、前記画像生成部が、これらの情報を前記記憶領域から読み出す
請求項２に記載の情報処理装置。
【請求項４】
前記ネットワーク識別情報は、前記無線ネットワークの名前と、前記無線ネットワークに接続するためのパスコードとを含む
請求項２または請求項３に記載の情報処理装置。
【請求項５】
前記パスコードは、前記レジストラ機能実装デバイスによってコンテンツごとに生成されたものである
請求項４に記載の情報処理装置。
【請求項６】
前記画像情報は、ＱＲコードである
請求項１ないし請求項３のいずれか一項に記載の情報処理装置。
【請求項７】
前記ネットワーク上の他のデバイスが前記コンテンツを保有している場合には、前記通信部が、前記コンテンツリストをそのデバイスから取得し、
当該情報処理装置が前記コンテンツおよび前記コンテンツリストを記憶領域に保有している場合には、前記画像生成部が、前記コンテンツリストを前記記憶領域から読み出す
請求項２または請求項３に記載の情報処理装置。
【請求項８】
無線デバイスをネットワークに接続する情報処理装置であって、
前記ネットワーク上の第１のデバイスに格納された第１のコンテンツのアドレス情報と、前記ネットワーク上のアクセスポイントの無線ネットワークへの無線デバイスの参加を認証するための第１のネットワーク識別情報と、前記第１のコンテンツに対する処理指定情報とを含む無線信号を無線デバイスから受信する受信部と、
前記ネットワーク上の他のデバイスから、前記無線ネットワークへの無線デバイスの参加を認証するための第２のネットワーク識別情報の要求があった場合に、前記第２のネットワーク識別情報を発行するか、または前記ネットワーク上のレジストラ機能実装デバイスから取得したのち、発行または取得した第２のネットワーク識別情報を、前記第２のネットワーク識別情報を要求してきたデバイスに送信する送信部と、
前記第１のネットワーク識別情報が前記第２のネットワーク識別情報と一致するか、または所定の関係にある場合に、前記無線信号を送信してきた無線デバイスの、前記ネットワークへの接続を許可する認証部と
を備えた情報処理装置。
【請求項９】
ネットワーク上の他のデバイスと通信を行うことの可能な、前記ネットワーク上の一のデバイスにおける情報処理方法であって、
前記ネットワーク上の他のデバイスまたは自身が保有するコンテンツのアドレス情報と、前記ネットワーク上のアクセスポイントの無線ネットワークへの無線デバイスの参加を認証するためのネットワーク識別情報と、コンテンツごとに設定された処理指定情報とを用いて、これらの情報を示す画像情報をコンテンツごとに生成する画像生成ステップと、
前記生成ステップによって生成された画像情報をコンテンツリストとともに画面に表示することを表示装置に要求する表示要求ステップと
を含む情報処理方法。
【請求項１０】
ネットワーク上の他のデバイスと通信を行うことの可能な、前記ネットワーク上の一のデバイス用の情報処理プログラムであって、
前記ネットワーク上の他のデバイスまたは自身が保有するコンテンツのアドレス情報と、前記ネットワーク上のアクセスポイントの無線ネットワークへの無線デバイスの参加を認証するためのネットワーク識別情報と、コンテンツごとに設定された処理指定情報とを用いて、これらの情報を示す画像情報をコンテンツごとに生成する画像生成ステップと、
前記生成ステップによって生成された画像情報をコンテンツリストとともに画面に表示することを表示装置に要求する表示要求ステップと
をデバイスに実行させる情報処理プログラム。
【発明の詳細な説明】
【技術分野】
【０００１】
本発明は、ネットワーク上のデバイスと通信可能な情報処理装置、ならびにそのような情報処理装置に好適な情報処理方法および情報処理プログラムに関する。
【背景技術】
【０００２】
近年、ＬＡＮ(Local Area Network)に接続可能なデジタル家電の普及に伴い、ビデオ、写真、音楽などのデジタルコンテンツを、ＬＡＮを介して共有することが容易となってきている。ＬＡＮを用いて、パーソナルコンピュータ、家電機器、携帯端末、デジタルカメラ、携帯電話機などのデバイスを相互に接続し、連携して利用するための技術仕様の一つに、ＤＬＮＡ（Digital Living Network Alliance）ガイドラインがある。
【０００３】
ＤＬＮＡガイドラインでは、ＵＰｎＰ（Universal Plug and Play）を用いて、ＬＡＮに接続された機器を検索したり、コンテンツ一覧を取得したりすることが可能となっている。さらに、このガイドラインでは、ＬＡＮ上のある機器に保存されているコンテンツを別の機器で再生することが可能となっている。
【０００４】
ＬＡＮの普及に伴い、無線ＬＡＮも徐々に普及してきている。無線ＬＡＮの普及に伴い、必然的に、無線ＬＡＮの暗号化通信の設定に詳しくない人も増えてきている。その結果、例えば、電波が自分の家の外に漏れ、他人の機器が自身の無線ＬＡＮに接続可能となっていることにユーザが気付かない間に、自身の所有コンテンツが他人に盗み見られる危険性がある。そこで、無線ＬＡＮベンダーの業界団体であるＷｉ−Ｆｉ Ａｌｌｉａｎｃｅは、無線ＬＡＮの暗号通信を簡単に設定するための実装仕様としてＷｉ−Ｆｉ Ｐｒｏｔｅｃｔｅｄ Ｓｅｔｕｐ（ＷＰＳ）を策定した(なお、Ｗｉ−Ｆｉのロゴは、Ｗｉ−Ｆｉ Ａｌｌｉａｎｃｅの登録商標である)。
【０００５】
ＷＰＳの策定以前から、独自の仕様で、暗号鍵の設定手順をより簡単にする仕様が多くのメーカによって製品に実装されており、現在では、暗号通信に必要な暗号鍵を生成するための「ＰＩＮ(Personal Identification Number)」と呼ぶパスワードをユーザが入力する必要の無いいくつかの方法が広く使われている。例えば、非特許文献１に記載されているように、アクセスポイントのＡＯＳＳ（AirStation One-Touch Secure System）（株式会社バッファローの登録商標）ボタンを押してから、所定の時間内に、無線ＬＡＮに接続する機器のＡＯＳＳボタンを押すことにより、認証を行う方法が簡易な設定方法として実用化されている。また、非特許文献２に記載されているように、アクセスポイントの所定のボタンを押すだけで、認証を行う方法も簡易な設定方法として実用化されている。
【先行技術文献】
【非特許文献】
【０００６】
【非特許文献１】http://buffalo.jp/aoss/
【非特許文献２】http://121ware.com/product/atermstation/special/                    rakuraku_start/index.html
【発明の概要】
【発明が解決しようとする課題】
【０００７】
しかし、上記の方法は、アクセスポイントのボタンを必ず押すことが必要となるので、アクセスポイントが置かれている場所から離れた場所で機器を無線ＬＡＮに接続する場合や、アクセスポイントが天井裏などの、人の手が届きにくい場所に設置されている場合に、極めて不便である。このように、従来の方法では、認証のためにユーザの使い勝手が損なわれているという問題があった。
【０００８】
本発明はかかる問題点に鑑みてなされたものであり、その目的は、ユーザの使い勝手を損なうことなく安全に無線ネットワーク接続を行うことの可能な情報処理装置、情報処理方法、情報処理プログラムを提供することにある。
【課題を解決するための手段】
【０００９】
本発明の第１の情報処理装置は、ネットワーク上の他のデバイスと通信を行う通信部と、３つの情報を示す画像情報をコンテンツごとに生成する画像生成部とを備えたものである。上記の３つの情報とは、具体的には、（１）ネットワーク上の他のデバイスまたは自身が保有するコンテンツのアドレス情報、（２）ネットワーク上のアクセスポイントの無線ネットワークへの無線デバイスの参加を認証するためのネットワーク識別情報、（３）コンテンツごとに設定された処理指定情報を指している。第１の情報処理装置は、さらに、画像生成部によって生成された画像情報をコンテンツリストとともに画面に表示することを表示装置に要求する表示要求部を備えている。
【００１０】
ここで、「デバイス」とは、ネットワーク環境内で他のデバイスと通信することができる独立した物理的または論理的な実体を指している。「コンテンツ」とは、例えば、ニュース、映画、ドラマ、テレビ番組、楽曲、画像、写真、ビデオ、ゲーム、アニメなど、人間が視聴により感じ取るひとまとまりの情報を指している。「認証」とは、ネットワークへのアクセスを認めるために無線デバイスを識別するプロセスを意味している。
【００１１】
本発明の第１の情報処理装置において、通信部が、ネットワーク識別情報を、ネットワーク上のレジストラ機能実装デバイスから取得するようにしてもよい。レジストラ機能実装デバイスとして、例えば、アクセスポイントが挙げられる。アクセスポイントとは、無線デバイスをネットワークに接続するデバイスで、例えば、Ｗｉ−Ｆｉルータを意味している。なお、レジストラとは、識別情報の発行および取り消しの権限を有する論理的実体を指しており、レジストラは、アクセスポイントを含め、あらゆるデバイスに統合することが可能なものである。また、ネットワーク上の他のデバイスがコンテンツを保有している場合には、通信部が、アドレス情報および処理指定情報をそのデバイスから取得するようにしてもよい。一方、本発明の第１の情報処理装置がコンテンツおよび処理指定情報を記憶領域に保有している場合には、画像生成部が、これらの情報を記憶領域から読み出すようにしてもよい。
【００１２】
本発明の第１の情報処理装置において、ネットワーク識別情報は、例えば、無線ネットワークの名前と、無線ネットワークに接続するためのパスコードとを含んでいる。パスコードは、例えば、レジストラ機能実装デバイスによって生成されたものであり、コンテンツごとに生成されたものであることが好ましい。また、本発明の第１の情報処理装置において、画像情報は、例えば、ＱＲコード（デンソーウェーブ社の登録商標）である。
【００１３】
本発明の第１の情報処理方法は、ネットワーク上の他のデバイスと通信を行うことの可能な、ネットワーク上の一のデバイスにおける情報処理方法である。第１の情報処理方法は、以下の２つのステップを含むものである。
（Ａ１）ネットワーク上の他のデバイスまたは自身が保有するコンテンツのアドレス情報と、ネットワーク上のアクセスポイントの無線ネットワークへの無線デバイスの参加を認証するためのネットワーク識別情報と、コンテンツごとに設定された処理指定情報とを用いて、これらの情報を示す画像情報をコンテンツごとに生成する画像生成ステップ
（Ａ２）生成ステップによって生成された画像情報をコンテンツリストとともに画面に表示することを表示装置に要求する表示要求ステップ
【００１４】
本発明の第１の情報処理プログラムは、ネットワーク上の他のデバイスと通信を行うことの可能な、ネットワーク上の一のデバイス用の情報処理プログラムである。第１の情報処理プログラムは、以下の２つのステップをデバイスに実行させるものである。
（Ｂ１）ネットワーク上の他のデバイスまたは自身が保有するコンテンツのアドレス情報と、ネットワーク上のアクセスポイントの無線ネットワークへの無線デバイスの参加を認証するためのネットワーク識別情報と、コンテンツごとに設定された処理指定情報とを用いて、これらの情報を示す画像情報をコンテンツごとに生成する画像生成ステップ
（Ｂ２）生成ステップによって生成された画像情報をコンテンツリストとともに画面に表示することを表示装置に要求する表示要求ステップ
【００１５】
本発明の第１の情報処理装置、第１の情報処理方法および第１の情報処理プログラムでは、ネットワーク識別情報などを示す画像情報がコンテンツごとに生成され、生成された画像情報をコンテンツリストとともに画面に表示する要求が表示装置になされる。これにより、表示装置には、ネットワーク識別情報などを示す画像情報がコンテンツリストとともに画面に表示される。
【００１６】
このとき、例えば、第１の情報処理装置のユーザ（以下、単に「ユーザ」とする）が、コンテンツリスト中の一のコンテンツを、自身が保有する無線デバイス（例えば、パーソナルコンピュータ、家電機器、携帯端末、デジタルカメラ、携帯電話機など）にコピーしたいと思っているとする。この場合に、ユーザは、例えば、そのコンテンツに対応して配置された画像情報を当該無線デバイスに設けられたカメラで撮像し、画像情報が示す情報を取得し、取得した情報を当該無線デバイスから無線ネットワークに出力することにより、そのコンテンツを取得することができる。このとき、ユーザは、無線デバイスのボタンを何回か押して、画像情報の撮像と、所望のコンテンツの取得を実行した程度の認識しかしていない。実際には、バックグラウンドでは、以下に説明するように、アクセスポイントと無線デバイスとの間で所定の登録プロトコルと、コンテンツの転送が実行されている。
【００１７】
例えば、まず、無線デバイスから無線ネットワークに出力された情報がネットワーク上のアクセスポイントで受信されると、アクセスポイントにおいて、受信した情報に含まれるネットワーク識別情報などを用いた認証が行われる。認証が成功すると、アクセスポイントと無線デバイスとの間で鍵交換が行われ、無線パラメータなどの設定情報がアクセスポイントから無線デバイスに転送される。次に、無線デバイスが、取得した無線パラメータなどの設定情報を用いて、無線ネットワークに接続する。このような登録プロトコルに実行により、無線デバイスは、アクセスポイントと共通の暗号鍵を用いた通常のデータ通信を行うことが可能となる。その後、無線デバイスは、画像情報から既に取得しているアドレス情報および処理指定情報を無線ネットワークに出力する。すると、アドレス情報に対応する、ネットワーク上のデバイスが、無線デバイスからの情報を受信し、受信した情報に含まれる処理指定情報に従った処理を実行する。ここで、処理指定情報が、アドレス情報に対応するコンテンツのコピーの、無線デバイスへの転送である場合には、上記のデバイスは、アドレス情報に対応するコンテンツのコピーを無線デバイスに転送する。その結果、無線デバイスは、アドレス情報に対応するコンテンツのコピーを取得する。このようにして、コンテンツの転送が実行される。
【００１８】
本発明の第２の情報処理装置は、無線デバイスをネットワークに接続する情報処理装置である。第２の情報処理装置は、３つの情報を含む無線信号を無線デバイスから受信する受信部と、ネットワーク上の他のデバイスから、前記無線ネットワークへの無線デバイスの参加を認証するための第２のネットワーク識別情報の要求があった場合に、第２のネットワーク識別情報を、第２のネットワーク識別情報を要求してきたデバイスに送信する送信部とを備えている。ここで、上記の３つの情報とは、具体的には、（１）ネットワーク上の第１のデバイスに格納された第１のコンテンツのアドレス情報、（２）ネットワーク上のアクセスポイントの無線ネットワークへの無線デバイスの参加を認証するための第１のネットワーク識別情報、（３）第１のコンテンツに対する処理指定情報を指している。また、送信部が送信する第２のネットワーク識別情報は、送信部が発行したものか、または、ネットワーク上のレジストラ機能実装デバイスから取得したものである。本発明の第２の情報処理装置は、さらに、第１のネットワーク識別情報が第２のネットワーク識別情報と一致するか、または所定の関係にある場合に、無線信号を送信してきた無線デバイスの、ネットワークへの接続を許可する認証部を備えている。
【００１９】
本発明の第２の情報処理装置では、ネットワーク識別情報などを含む無線信号を無線デバイスから受信すると、受信した情報に含まれる第１のネットワーク識別情報が、過去にネットワーク上の他のデバイスに送信した第２のネットワーク識別情報と一致するか、または所定の関係にあるかが検証される。その結果、第１のネットワーク識別情報が第２のネットワーク識別情報と一致するか、または所定の関係にあると判明した場合には、無線信号を送信してきた無線デバイスの、ネットワークへの接続が許可される。
【００２０】
上記のようにして認証が成功した場合には、例えば、第２の情報処理装置と無線デバイスとの間で鍵交換が行われ、無線パラメータなどの設定情報が第２の情報処理装置から無線デバイスに転送される。次に、無線デバイスが、取得した無線パラメータなどの設定情報を用いて、無線ネットワークに接続する。このような設定プロトコルに実行により、無線デバイスは、第２の情報処理装置と共通の暗号鍵を用いた通常のデータ通信を行うことが可能となる。その後、無線デバイスは、画像情報から既に取得しているアドレス情報および処理指定情報を無線ネットワークに出力する。すると、アドレス情報に対応する、ネットワーク上のデバイスが、無線デバイスからの情報を第２の情報処理装置を介して受信し、受信した情報に含まれる処理指定情報に従った処理を実行する。ここで、処理指定情報が、アドレス情報に対応するコンテンツのコピーの、無線デバイスへの転送である場合には、上記のデバイスは、アドレス情報に対応するコンテンツのコピーを第２の情報処理装置を介して無線デバイスに転送する。その結果、無線デバイスは、アドレス情報に対応するコンテンツのコピーを取得する。このようにして、コンテンツの転送が実行される。
【発明の効果】
【００２１】
本発明の第１の情報処理装置、第１の情報処理方法および第１の情報処理プログラムによれば、ネットワーク識別情報などを示す画像情報がコンテンツリストとともに画面に表示されるようにしたので、画像情報が表示された表示画面の傍にいる人だけがカメラ付きの無線デバイスで画像情報を撮像し、撮像した画像情報を利用して無線ネットワークに接続し、コンテンツを取得することが可能となる。ここで、無線デバイスは、無線ネットワークに接続する機能と、カメラを備えていればどのようなものであってもよく、事前の登録がなされているなどの、特定のものである必要はない。また、本発明では、アクセスポイントのボタンを押したり、アクセスポイントに対して何らかの設定操作を行ったりする必要がない。そのため、アクセスポイントが置かれている場所から離れた場所でも、無線デバイスを無線ネットワークに接続したり、アクセスポイントを天井裏などの、人の手が届きにくい場所に設置したりすることも可能である。したがって、本発明では、ユーザの使い勝手を損なうことなく安全に無線ネットワーク接続を行うことができる。
【００２２】
本発明の第２の情報処理装置によれば、ネットワーク識別情報などを含む無線信号を無線デバイスから受信した場合に、受信した情報に含まれる第１のネットワーク識別情報が、過去にネットワーク上の他のデバイスに送信した第２のネットワーク識別情報と一致するか、または所定の関係にあると判明したときに、無線信号を送信してきた無線デバイスの、ネットワークへの接続を許可するようにしたので、例えば、ネットワーク識別情報などを示す画像情報をコンテンツリストとともにネットワーク上のデバイスの画面に表示させ、その画像情報を、その画像情報が表示された表示画面の傍にいる人が保有するカメラ付きの無線デバイスで撮像し、撮像した画像情報を利用して無線ネットワークに接続するだけで、コンテンツを取得することが可能となる。ここで、無線デバイスは、無線ネットワークに接続する機能と、カメラを備えていればどのようなものであってもよく、事前の登録がなされているなどの、特定のものである必要はない。また、本発明では、アクセスポイントのボタンを押したり、アクセスポイントに対して何らかの設定操作を行ったりする必要がない。そのため、アクセスポイントが置かれている場所から離れた場所でも、無線デバイスを無線ネットワークに接続したり、アクセスポイントを天井裏などの、人の手が届きにくい場所に設置したりすることも可能である。したがって、本発明は、ユーザの使い勝手を損なうことなく安全に無線ネットワーク接続を行うことを可能にしている。
【図面の簡単な説明】
【００２３】
【図１】本発明の一実施の形態に係るネットワークシステムの構成例を示す図である。
【図２】図１のレコーダの構成例を示す図である。
【図３】図１の、レコーダに接続されたデジタルＴＶの構成例を示す図である。
【図４】図１の、有線ネットワークに直接接続されたデジタルＴＶの構成例を示す図である。
【図５】図１のアクセスポイントの構成例を示す図である。
【図６】図１の無線通信装置の構成例を示す図である。
【図７】デジタルＴＶ画面への表示の一例を表す図である。
【図８】無線通信装置の登録および無線通信装置へのコンテンツ転送を行う手順の一例を示す流れ図である。
【図９】無線通信装置の登録および無線通信装置へのコンテンツ転送を行う手順の他の例を示す流れ図である。
【図１０】無線通信装置のネットワーク接続の一例を示す流れ図である。
【図１１】図１のネットワークシステムの他の構成例を示す図である。
【発明を実施するための形態】
【００２４】
以下、発明を実施するための形態について、図面を参照して詳細に説明する。なお、説明は以下の順序で行う。
１．実施の形態
システム構成（図１〜図７）
登録・コンテンツ転送（図８、図９）
ネットワーク接続（図１０）
効果
２．変形例（図１１）
【００２５】
＜１．実施の形態＞
[システム構成]
図１は、本発明の一実施の形態に係るネットワークシステム１の構成例を示す図である。ネットワークシステム１は、例えば、有線ネットワーク１００に接続されたレコーダ２００、デジタルＴＶ５００およびアクセスポイント６００を備えている。有線ネットワーク１００には、必要に応じて、デジタルＴＶ、パソコン、携帯情報端末などＣＥ(Consumer Electronics)機器が接続され得る。ここで、有線ネットワーク１００は、例えば、ケーブルを使って物理的に近接した領域内にあるデバイス同士を接続する有線ＬＡＮである。レコーダ２００には、インターフェースケーブル３００を介してデジタルＴＶ４００が接続されており、アクセスポイント６００には、無線ネットワーク８００が構築されている。無線ネットワーク８００は、例えば、Ｗｉ−Ｆｉを使ってデバイス同士を接続する無線ＬＡＮである。
【００２６】
アクセスポイント６００と無線ネットワーク８００を介した通信が可能な領域（以下、「通信可能領域」とする）内には、無線ネットワーク８００に接続する機能を有する無線通信装置７００が配置されている。通信可能領域には、必要に応じて、他の無線通信装置が配置され得る。無線通信装置７００は、以下で説明する登録プロトコルの実行前においては、無線ネットワーク８００に未登録の状態であり、まだ、無線ネットワーク８００に接続されていないものとする。
【００２７】
なお、有線ネットワーク１００は、本発明の「ネットワーク」の一具体例に相当する。また、レコーダ２００およびデジタルＴＶ５００は、本発明の「第１の情報処理装置」の一具体例に相当し、アクセスポイント６００は、本発明の「第２の情報処理装置」の一具体例に相当する。無線通信装置７００が、本発明の「無線デバイス」の一具体例に相当する。
【００２８】
（レコーダ２００）
レコーダ２００は、例えば、ＤＶＤ(Digital Versatile Disc)やＢＤ(Blu-ray Disc)などの光ディスクの情報を読み出したり、光ディスクに情報を記録したり、さらには、内蔵のＨＤ(Hard Disk)に、光ディスクの情報や受信したテレビ番組などを記録したりすることの可能な据え置き型のデッキである。レコーダ２００は、例えば、図２に示したように、記録再生部２１０、放送受信部２２０、記憶部２３０、映像・音声出力部２４０、リモコン受信部２５０、リモコン送信機２６０、ネットワーク接続部２７０、および制御部２８０を有している。なお、ネットワーク接続部２７０が本発明の「通信部」の一具体例に相当し、制御部２８０が、本発明の「画像生成部」「表示要求部」の一具体例に相当する。
【００２９】
記録再生部２１０は、光ディスクの情報を読み出すものであり、例えば、光ピックアップを含んで構成されている。放送受信部２２０は、テレビ放送信号を受信し、受信したテレビ放送信号から映像信号および音声信号を得るものであり、例えば、デジタルチューナ、デマルチプレクサ、およびＭＰＥＧデコーダなどを含んで構成されている。記憶部２３０は、記録再生部２１０で読み出した情報や、放送受信部２２０で受信した情報などを記録するものであり、例えば、ＨＤ、フラッシュＲＯＭ（Read Only Memory）、各種ソフトウェアのワークエリアを構成するＤＲＡＭ（Dynamic Random Access Memory)などを含んで構成されている。記憶部２３０は、例えば、レコーダ２００の各部の動作を制御したり、所定の機能を実行したりするソフトウェアを格納している。例えば、コンテンツリストの要求に応じてネットワーク識別情報を取得するとともに、ＱＲコードを生成に必要な他の情報も取得し、取得した情報を、コンテンツリストを要求してきたデバイスに返送するソフトウェアが、記憶部２３０に格納されている。
【００３０】
ここで、上述のソフトウェアは、後述の「レコーダ選択」がユーザによって実行されたときに実行されるプログラムである。なお、このソフトウェアの詳細については、後に詳述するものとする。また、上記のコンテンツリストとは、レコーダ２００に格納されているコンテンツのリストである。コンテンツリストには、例えば、少なくとも、各コンテンツのタイトルが含まれている。なお、コンテンツリストに、各コンテンツに関係する画像情報（サムネイル）などが含まれていてもよい。
【００３１】
また、ネットワーク識別情報とは、有線ネットワーク１００上のアクセスポイント６００の無線ネットワーク８００への無線デバイス（例えば、無線通信装置７００）の参加を認証するためのものである。ネットワーク識別情報は、例えば、無線ネットワーク８００の名前（ネットワーク名）と、無線ネットワーク８００に接続するためのパスコードとを含んでいる。ネットワーク名は、無線ネットワークを識別するための名称であり、例えば、無線基準規格では、ＳＳＩＤ（service set identifier）と呼ばれるものである。パスコードは、無線ネットワーク８００へ特定の無線デバイスを接続させるために必要な無作為に生成される複数桁の数字であり、例えば、Ｗｉ−ｆｉ Ｐｒｏｔｅｃｔｅｄ Ｓｅｔｕｐプログラムの場合、４桁または８桁のＰＩＮコードである。
【００３２】
映像・音声出力部２４０は、例えば、記録再生部２１０で読み出した信号や、放送受信部２２０で生成した信号、記憶部２３０から読み出した信号、または制御部２８０で生成した信号を、ＨＤＭＩ(High-Definition Multimedia Interface)ケーブルなどからなるインターフェースケーブル３００を介して、デジタルＴＶ４００に転送するようになっている。映像・音声出力部２４０は、デジタルＴＶ４００のモニタ４３０に所望の映像を表示することをデジタルＴＶ４００に要求するものともいえる。リモコン受信部２５０は、例えば、リモコン送信機２６０から赤外線などにより送信されてきたリモートコントロール信号を受信し、制御部２８０に供給するようになっている。
【００３３】
ネットワーク接続部２７０は、有線ネットワーク１００を介して他のデバイスと通信を行うものであり、例えば、有線ネットワーク１００に接続するネットワーク端子、およびネットワーク・インターフェースを含んで構成されている。ここで、ネットワーク・インターフェースは、例えば、ＬＡＮの規格の一種であるイーサネット（登録商標）に従って他のデバイスと通信を行うものである。なお、イーサネット（登録商標）は、富士ゼロックス株式会社の登録商標である。制御部２８０は、レコーダ２００の各部の動作を制御するものであり、例えば、記憶部２３０から読み出したソフトウェアを記憶部２３０のワークエリアに展開してソフトウェアを起動させ、レコーダ２００の各部を制御するようになっている。
【００３４】
（デジタルＴＶ４００）
デジタルＴＶ４００は、例えば、デジタルチューナなどの放送受信機能を有しないテレビジョンであり、例えば、図３に示したように、映像・音声入力部４１０、信号処理部４２０、モニタ４３０、リモコン受信部４４０、リモコン送信機４５０、および制御部４６０を有している。なお、デジタルＴＶ４００が、デジタルチューナなどの放送受信機能を有していてもかまわない。
【００３５】
映像・音声入力部４１０は、例えば、インターフェースケーブル３００を介して転送されてきた信号を受信し、信号処理部４２０に転送するようになっている。信号処理部４２０は、転送されてきた映像データに対して、必要に応じてマルチ画像処理、グラフィックスデータの重畳処理等の信号処理を行うとともに、転送されてきた音声信号に対して、必要に応じて所定の信号処理を行うようになっている。信号処理部４２０は、さらに、映像信号および音声信号をモニタ４３０に出力するようになっている。モニタ４３０は、入力された映像信号に基づいて、モニタ４３０内の表示パネル（図示せず）を駆動するとともに、入力された音声信号を増幅して、モニタ４３０内のスピーカ（図示せず）を駆動するようになっている。
【００３６】
リモコン受信部４４０は、例えば、リモコン送信機４５０から赤外線などにより送信されてきたリモートコントロール信号を受信し、制御部４６０に供給するようになっている。制御部４６０は、デジタルＴＶ４００の各部の動作を制御するものであり、例えば、記憶部（図示せず）から読み出したソフトウェアを記憶部のワークエリアに展開してソフトウェアを起動させ、デジタルＴＶ４００の各部を制御するようになっている。
【００３７】
（デジタルＴＶ５００）
デジタルＴＶ５００は、例えば、デジタルチューナなどの放送受信機能と、有線ネットワーク１００を介して他のデバイスと通信を行う機能を有するテレビジョンである。デジタルＴＶ５００は、例えば、図４に示したように、放送受信部５１０、信号処理部５２０、モニタ５３０、リモコン受信部５４０、リモコン送信機５５０、記憶部５６０、ネットワーク接続部５７０、および制御部５８０を有している。なお、ネットワーク接続部５７０が本発明の「通信部」の一具体例に相当し、制御部５８０が、本発明の「画像生成部」「表示要求部」の一具体例に相当する。
【００３８】
放送受信部５１０は、テレビ放送信号を受信し、受信したテレビ放送信号から映像信号および音声信号を得るものであり、例えば、デジタルチューナ、デマルチプレクサ、およびＭＰＥＧデコーダなどを含んで構成されている。放送受信部５１０は、得られた信号（映像信号および音声信号）を信号処理部５２０に出力するようになっている。信号処理部５２０は、入力された映像データに対して、必要に応じてマルチ画像処理、グラフィックスデータの重畳処理等の信号処理を行うとともに、入力された音声信号に対して、必要に応じて所定の信号処理を行うようになっている。信号処理部５２０に入力される信号には、例えば、放送受信部５１０から出力された信号の他に、制御部５８０で生成された信号などが含まれ得る。信号処理部５２０は、さらに、映像信号および音声信号をモニタ５３０に出力するようになっている。信号処理部５２０は、モニタ５３０に所望の映像を表示することをモニタ５３０に要求するものともいえる。モニタ５３０は、入力された映像信号に基づいて、モニタ５３０内の表示パネル（図示せず）を駆動するとともに、入力された音声信号を増幅して、モニタ５３０内のスピーカ（図示せず）を駆動するようになっている。
【００３９】
リモコン受信部５４０は、例えば、リモコン送信機５５０から赤外線などにより送信されてきたリモートコントロール信号を受信し、制御部５８０に供給するようになっている。記憶部５６０は、例えば、デジタルＴＶ５００の各部の動作を制御したり、所定の機能を実行したりするソフトウェアを格納している。例えば、所定の情報を示すＱＲコード（登録商標）を生成するとともに、生成したＱＲコードをコンテンツリストとともに表示装置（モニタ５３０）に表示させる（図７参照）ソフトウェアが、記憶部５６０に格納されている。ここで、上述のソフトウェアは、後述の「レコーダ選択」がユーザによって実行されたときに実行されるプログラムである。なお、このソフトウェアの詳細については、後に詳述するものとする。
【００４０】
ネットワーク接続部５７０は、有線ネットワーク１００を介して他のデバイスと通信を行うものであり、例えば、有線ネットワーク１００に接続するネットワーク端子、およびネットワーク・インターフェースを含んで構成されている。ここで、ネットワーク・インターフェースは、例えば、ＬＡＮの規格の一種であるイーサネット（登録商標）に従って他のデバイスと通信を行うものである。制御部５８０は、デジタルＴＶ５００の各部の動作を制御するものであり、例えば、記憶部（図示せず）から読み出したソフトウェアを記憶部のワークエリアに展開してソフトウェアを起動させ、デジタルＴＶ５００の各部を制御するようになっている。
【００４１】
（アクセスポイント６００）
アクセスポイント６００は、無線通信装置７００などの無線デバイスをネットワーク（有線ネットワーク１００）に接続するデバイスであり、例えば、図５に示したように、無線ネットワーク接続部６１０、アンテナ６２０、有線ネットワーク接続部６３０、記憶部６４０、および制御部６５０を有している。
【００４２】
無線ネットワーク接続部６１０は、無線ネットワーク８００を介して、無線通信装置７００などの無線デバイスと通信を行うものであり、例えば、無線ネットワーク８００に接続するネットワーク端子、およびネットワーク・インターフェースを含んで構成されている。ここで、ネットワーク・インターフェースは、例えば、無線ＬＡＮの規格の一種であるＩＥＥＥ８０２．１１シリーズに従って他のデバイスと通信を行うものであり、Ｗｉ−Ｆｉ ＡｌｌｉａｎｃｅによってＷｉ−Ｆｉの認証が付されたものであることが好ましい。アンテナ６２０は、無線ネットワーク８００を介した通信を行う際に使用する電波を発するものである。
【００４３】
有線ネットワーク接続部６３０は、有線ネットワーク１００を介して他のデバイスと通信を行うものであり、例えば、有線ネットワーク１００に接続するネットワーク端子、およびネットワーク・インターフェースを含んで構成されている。ここで、ネットワーク・インターフェースは、例えば、ＬＡＮの規格の一種であるイーサネット（登録商標）に従って他のデバイスと通信を行うものである。
【００４４】
記憶部６４０は、例えば、アクセスポイント６００の各部の動作を制御したり、所定の機能を実行したりするソフトウェアを格納している。例えば、後述の「無線通信装置７００などの無線デバイスの登録」をアクセスポイント６００に実行させるソフトウェアが、記憶部６４０に格納されている。ここで、上述のソフトウェアは、後述の「画像情報（ＱＲコード）でコンテンツ取得」というアイコンが無線通信装置７００において選択・実行されたときに実行されるプログラムである。なお、このソフトウェアの詳細については、後に詳述するものとする。制御部６５０は、アクセスポイント６００の各部の動作を制御するものであり、例えば、記憶部６４０から読み出したソフトウェアを記憶部６４０のワークエリアに展開してソフトウェアを起動させ、アクセスポイント６００の各部を制御するようになっている。
【００４５】
アクセスポイント６００は、さらに、レジストラ機能を実行するレジストラ部６６０を有している。レジストラとは、ネットワーク識別情報の発行および取り消しの権限を有する論理的実体を指すものであり、本実施の形態では、レジストラがアクセスポイント６００に統合されている。なお、レジストラ機能の詳細については、後に詳述するものとする。
【００４６】
（無線通信装置７００）
無線通信装置７００は、少なくとも、無線ネットワーク８００に接続する機能と、カメラ機能を有するものであり、汎用的な無線デバイスである。そのような装置としては、例えば、パーソナルコンピュータ、家電機器、携帯端末、デジタルカメラ、携帯電話機などの、種々の無線通信装置が挙げられる。無線通信装置７００は、例えば、図６に示したように、無線ネットワーク接続部７１０、アンテナ７２０、カメラ部７３０、手入力部７４０、表示部７５０、記憶部７６０、および制御部７７０を有している。
【００４７】
無線ネットワーク接続部７１０は、無線ネットワーク８００およびアクセスポイント６００を介して他のデバイスと通信を行うものであり、例えば、無線ネットワーク８００に接続するネットワーク端子、およびネットワーク・インターフェースを含んで構成されている。ここで、ネットワーク・インターフェースは、例えば、無線ＬＡＮの規格の一種であるＩＥＥＥ８０２．１１シリーズに従って他のデバイスと通信を行うものであり、Ｗｉ−Ｆｉ ＡｌｌｉａｎｃｅによってＷｉ−Ｆｉの認証が付されたものであることが好ましい。
【００４８】
アンテナ７２０は、無線ネットワーク８００を介した通信を行う際に使用する電波を発するものである。カメラ部７３０は、映像を撮影するための装置であり、例えば、ＣＣＤ(Charge Coupled Device)イメージセンサや、ＣＭＯＳ（Complementary Metal Oxide Semiconductor）イメージセンサなどの、固体撮像素子を含んで構成されている。カメラ部７３０は、撮像した映像を制御部７７０に出力するようになっている。手入力部７４０は、例えば、人間の手によって、機械的なボタンを押したり、タッチパネルを触ったりすることにより、情報を入力するものである。手入力部７４０は、入力された情報を制御部７７０に出力するようになっている。表示部７５０は、例えば、カメラ部７３０で撮影している映像や、手入力部７４０で入力している情報などを表示するものである。
【００４９】
記憶部７６０は、無線ネットワーク接続部７１０で受信した情報や、カメラ部７３０で取得した映像、手入力部７４０で入力した情報などを記録するものであり、例えば、ＨＤ、フラッシュＲＯＭ、各種ソフトウェアのワークエリアを構成するＤＲＡＭなどを含んで構成されている。記憶部７６０は、例えば、無線通信装置７００の各部の動作を制御したり、所定の機能を実行したりするソフトウェアを格納している。例えば、無線ネットワーク接続を簡易に実行したり、ほしいコンテンツの取得を簡易に実行したりするソフトウェアが、記憶部７６０に格納されている。ここで、上述のソフトウェアは、後述の「画像情報（ＱＲコード）でコンテンツ取得」というアイコンがユーザによって選択されたときに実行されるプログラムである。なお、このソフトウェアの詳細については、後に詳述するものとする。
【００５０】
[登録・コンテンツ転送]
次に、本実施の形態のネットワークシステム１における、無線通信装置７００の登録と、無線通信装置７００へのコンテンツ転送との手順の一例について説明する。以下では、レコーダ２００、デジタルＴＶ５００、アクセスポイント６００および無線通信装置７００のそれぞれの記憶部に格納されているプログラムを実行したときの手順の一例について説明する。
【００５１】
図８は、無線通信装置７００の登録および無線通信装置７００へのコンテンツ転送を行う手順の一例を示すものである。まず、ユーザ（図示せず）は、例えば、デジタルＴＶ５００の近傍におり、リモコン送信機５５０を用いて、レコーダ選択を行う（ステップＳ１０１）。例えば、ユーザは、レコーダ２００を選択したとする。すると、デジタルＴＶ５００の制御部５８０は、レコーダ２００に対して、レコーダ２００に格納されているコンテンツのリスト（コンテンツリスト）を要求する（ステップＳ１０２）。レコーダ２００の制御部２８０は、コンテンツリストの要求を受けると、アクセスポイント６００に対して、ネットワーク識別情報を要求する（ステップＳ１０３）。具体的には、デジタルＴＶ５００の制御部５８０は、アクセスポイント６００に対して、レコーダ２００に格納されている各コンテンツのネットワーク識別情報を要求する。
【００５２】
アクセスポイント６００は、レジストラ機能を有しているので、レコーダ２００からの要求に対して、ネットワーク識別情報を発行する（ステップＳ１０４）。具体的には、アクセスポイント６００のレジストラ部６６０は、レコーダ２００に格納されているコンテンツごとに、ネットワーク識別情報を発行する。このとき、アクセスポイント６００のレジストラ部６６０は、発行したネットワーク識別情報をコンテンツごとに関連づけて記憶部に格納する。その後、アクセスポイント６００のレジストラ部６６０は、発行したネットワーク識別情報をレコーダ２００に返送する（ステップＳ１０５）。
【００５３】
レコーダ２００の制御部２８０は、アクセスポイント６００からネットワーク識別情報を入手するとともに、レコーダ２００の記憶部２３０に格納されているコンテンツのリスト（コンテンツリスト）と、コンテンツごとに設定された処理指定情報と、各コンテンツのアドレス情報とを入手する（ステップＳ１０６）。
【００５４】
ここで、処理指定情報は、コンテンツに対する処理を指定する情報である。コンテンツが動画である場合には、処理指定情報は、例えば、動画の再生を指定するコマンドとなっている。また、アドレス情報は、有線ネットワーク１００上にあるコンテンツの場所を指し示す情報であり、例えば、ＵＲＩ(Uniform Resource Identifier)である。
【００５５】
次に、レコーダ２００の制御部２８０は、入手したコンテンツリスト等（コンテンツリスト、アドレス情報、ネットワーク識別情報、処理指定情報）をデジタルＴＶ５００に返送する（ステップＳ１０７）。デジタルＴＶ５００の制御部５８０は、レコーダ２００から取得したアドレス情報、ネットワーク識別情報および処理指定情報の３つ情報を用いて、これらの情報を示す画像情報をコンテンツごとに作成する。具体的には、デジタルＴＶ５００の制御部５８０は、上記の３つの情報を用いて、画像情報として、例えばＱＲコードをコンテンツごとに作成する（ステップＳ１０８）。ＱＲコードとは、白と黒の格子状のパターンで情報を表したものである。
【００５６】
続いて、デジタルＴＶ５００の制御部５８０は、作成した画像情報（ＱＲコード）をコンテンツリストとともに画面に表示する（ステップＳ１０９）。具体的には、デジタルＴＶ５００の制御部５８０は、例えば、図７に示したように、作成した画像情報（ＱＲコード）を、コンテンツごとに１つずつ割り当てた映像信号を作成し、その映像信号を信号処理部５２０に送信することにより、ＱＲコードがコンテンツごとに１つずつ割り当てられた映像をモニタ５３０に表示させる。
【００５７】
ユーザは、先のレコーダ選択の実行によってモニタ５３０に表示された映像を眺めながら、ほしいコンテンツを探す。ユーザは、ほしいコンテンツが見つかった場合には、ユーザが保有する無線通信装置７００において、画像情報（ＱＲコード）の読取り指示を実行する（ステップＳ１１０）。具体的には、ユーザは、無線通信装置７００の表示部７５０にメニュー（図示せず）を表示させ、そのメニューの中から「画像情報（ＱＲコード）でコンテンツ取得」というアイコン（図示せず）を選択する。すると、無線通信装置７００のカメラ部７３０が起動し、画像情報（ＱＲコード）を撮像可能な状態となる。ユーザは、無線通信装置７００のカメラ部７３０を、モニタ５３０に表示された画像情報（ＱＲコード）の前にかざし、カメラ部７３０で、所望の画像情報（ＱＲコード）を撮像する（読取る）（ステップＳ１１１）。すると、カメラ部７３０で撮像された画像情報（ＱＲコード）が無線通信装置７００の制御部７７０に入力され、無線通信装置７００の制御部７７０は、後に詳述するネットワーク接続を実行する（ステップＳ１１２）。
【００５８】
以上のようにして、無線通信装置７００を登録するプロトコル（登録プロトコル）が実行されることにより、無線通信装置７００は、アクセスポイント６００と共通の暗号鍵を用いた通常のデータ通信を行うことが可能となる。
【００５９】
その後、無線通信装置７００の制御部７７０は、所望のコンテンツをレコーダ２００に要求する（ステップＳ１１３）。具体的には、無線通信装置７００の制御部７７０は、画像情報（ＱＲコード）から既に取得しているアドレス情報および処理指定情報を無線ネットワーク８００に出力する。すると、アドレス情報に対応する、有線ネットワーク１００上のデバイス（レコーダ２００）が、無線通信装置７００からの情報を受信し、受信した情報に含まれる処理指定情報に従った処理を実行する。ここで、処理指定情報が、アドレス情報に対応するコンテンツのコピーの、無線通信装置７００への転送である場合には、レコーダ２００は、アドレス情報に対応するコンテンツのコピーを無線通信装置７００に転送する（ステップＳ１１４）。その結果、無線通信装置７００は、アドレス情報に対応するコンテンツのコピーを取得する。このようにして、コンテンツの転送が実行される。
【００６０】
なお、ユーザが、レコーダ２００に接続されたデジタルＴＶ４００の近傍におり、リモコン送信機４５０を用いて、レコーダ選択を行う場合には、無線通信装置７００の登録と、無線通信装置７００へのコンテンツ転送との手順は、例えば、以下のようになる。
【００６１】
図９は、無線通信装置７００の登録および無線通信装置７００へのコンテンツ転送を行う手順の他の例を示すものである。まず、ユーザ（図示せず）は、例えば、デジタルＴＶ４００の近傍におり、リモコン送信機４５０を用いて、レコーダ選択を行う（ステップＳ２０１）。例えば、ユーザは、レコーダ２００を選択したとする。すると、デジタルＴＶ４００の制御部５８０は、レコーダ２００に対して、ユーザがレコーダ２００を選択したことを通知する。レコーダ２００の制御部２８０は、その通知を受けると、アクセスポイント６００に対して、ネットワーク識別情報を要求する（ステップＳ２０２）。具体的には、レコーダ２００の制御部２８０は、アクセスポイント６００に対して、レコーダ２００に格納されている各コンテンツのネットワーク識別情報を要求する。ここで、ネットワーク識別情報は、無線ネットワーク名と、無線ネットワーク８００に接続するためのパスコードとを含んでいる。
【００６２】
アクセスポイント６００は、レジストラ機能を有しているので、レコーダ２００からの要求に対して、ネットワーク識別情報を発行する（ステップＳ２０３）。具体的には、アクセスポイント６００のレジストラ部６６０は、レコーダ２００に格納されているコンテンツごとに、ネットワーク識別情報を発行する。このとき、アクセスポイント６００のレジストラ部６６０は、発行したネットワーク識別情報をコンテンツごとに関連づけて記憶部に格納する。その後、アクセスポイント６００のレジストラ部６６０は、発行したネットワーク識別情報をレコーダ２００に返送する（ステップＳ２０４）。
【００６３】
レコーダ２００の制御部２８０は、アクセスポイント６００からネットワーク識別情報を入手するとともに、レコーダ２００の記憶部２３０に格納されているコンテンツのリスト（コンテンツリスト）と、コンテンツごとに設定された処理指定情報と、各コンテンツのアドレス情報とをレコーダ２００の記憶部２３０から入手する（ステップＳ２０５）。
【００６４】
次に、レコーダ２００の制御部２８０は、入手したアドレス情報、ネットワーク識別情報および処理指定情報の３つ情報を用いて、これらの情報を示す画像情報をコンテンツごとに作成する。具体的には、レコーダ２００の制御部２８０は、上記の３つの情報を用いて、画像情報として、例えばＱＲコードをコンテンツごとに作成する（ステップＳ２０６）。
【００６５】
続いて、レコーダ２００の制御部２８０は、作成した画像情報（ＱＲコード）をコンテンツリストとともに画面に表示する（ステップＳ２０７）。具体的には、レコーダ２００の制御部２８０は、例えば、図７に示したように、作成した画像情報（ＱＲコード）を、コンテンツごとに１つずつ割り当てた映像信号を作成し、その映像信号をデジタルＴＶ４００に送信することにより、ＱＲコードがコンテンツごとに１つずつ割り当てられた映像をモニタ４３０に表示させる。
【００６６】
ユーザは、先のレコーダ選択の実行によってモニタ４３０に表示された映像を眺めながら、ほしいコンテンツを探す。ユーザは、ほしいコンテンツが見つかった場合には、ユーザが保有する無線通信装置７００において、画像情報（ＱＲコード）の読取り指示を実行する（ステップＳ２０８）。具体的には、ユーザは、無線通信装置７００の表示部７５０にメニュー（図示せず）を表示させ、そのメニューの中から「画像情報（ＱＲコード）でコンテンツ取得」というアイコン（図示せず）を選択する。すると、無線通信装置７００のカメラ部７３０が起動し、画像情報（ＱＲコード）を撮像可能な状態となる。ユーザは、無線通信装置７００のカメラ部７３０を、モニタ４３０に表示された画像情報（ＱＲコード）の前にかざし、カメラ部７３０で、所望の画像情報（ＱＲコード）を撮像する（読取る）（ステップＳ２０９）。すると、カメラ部７３０で撮像された画像情報（ＱＲコード）が無線通信装置７００の制御部７７０に入力され、無線通信装置７００の制御部７７０は、後に詳述するネットワーク接続を実行する（ステップＳ１１２）。
【００６７】
以上のようにして、無線通信装置７００を登録するプロトコル（登録プロトコル）が実行されることにより、無線通信装置７００は、アクセスポイント６００と共通の暗号鍵を用いた通常のデータ通信を行うことが可能となる。その後、上記の例と同様のプロセスを経ることにより、無線通信装置７００へのコンテンツの転送が実行される。
【００６８】
[ネットワーク接続]
次に、本実施の形態のネットワークシステム１におけるネットワーク接続（上記のステップＳ１１２，Ｓ２１０）の手順の一例について説明する。以下では、アクセスポイント６００および無線通信装置７００の双方の記憶部に格納されているプログラムを実行したときの手順の一例について説明する。
【００６９】
図１０は、ネットワーク接続（上記のステップＳ１１２，Ｓ２１０）を行う手順の一例を示すものである。まず、無線通信装置７００の制御部７７０は、アクセスポイント６００に対して、登録リクエストを送信する（ステップＳ３０１）。具体的には、無線通信装置７００の制御部７７０は、アクセスポイント６００に対して、ＱＲコードの読み取りにより得られた３つの情報（アドレス情報、ネットワーク識別情報および処理指定情報）を送信する。アクセスポイント６００の制御部６５０は、無線通信装置７００から３つの情報が入力されると、登録開始を示す信号を送信する（ステップＳ３０２）。具体的には、アクセスポイント６００の制御部６５０は、無線通信装置７００から入力されたアドレス情報に対応するネットワーク識別情報を含む信号をアクセスポイント６００に対して送信する。
【００７０】
なお、上記のステップにおいて、無線通信装置７００からアクセスポイント６００に入力されたネットワーク識別情報が、本発明の「第１のネットワーク識別情報」の一具体例に相当する。また、上記のステップにおいて、アクセスポイント６００が、登録開始を示す信号として無線通信装置７００に送信した信号に含まれるネットワーク識別情報が、本発明の「第２のネットワーク識別情報」の一具体例に相当する。
【００７１】
次に、アクセスポイント６００および無線通信装置７００は、相互に識別情報の認証を行う（ステップＳ３０３）。具体的には、まず、アクセスポイント６００の制御部６５０は、無線通信装置７００からアクセスポイント６００に入力されたネットワーク識別情報（第１のネットワーク識別情報）と、無線通信装置７００から入力されたアドレス情報に対応するネットワーク識別情報（過去に有線ネットワーク１００上の他のデバイス（上記の例ではレコーダ２００）に送信したネットワーク識別情報）（第２のネットワーク識別情報）とを対比する。その結果、アクセスポイント６００の制御部６５０は、第１のネットワーク識別情報が第２のネットワーク識別情報と一致するか、または所定の関係にある場合に、認証が成功したと認定する。一方、無線通信装置７００の制御部７７０は、ＱＲコードの読み取りにより得られたネットワーク識別情報（第１のネットワーク識別情報）と、登録開始を示す信号として無線通信装置７００に送信した信号に含まれるネットワーク識別情報（第２のネットワーク識別情報）とを対比する。その結果、無線通信装置７００の制御部７７０は、第１のネットワーク識別情報が第２のネットワーク識別情報と一致するか、または所定の関係にある場合に、認証が成功したと認定する。
【００７２】
このようにして、双方が「認証が成功した」と認定した場合には、アクセスポイント６００と無線通信装置７００の間で鍵交換が行われる（ステップＳ３０３）。さらに、無線パラメータなどの設定情報がアクセスポイント６００から無線通信装置７００に転送される（ステップＳ３０４）。
【００７３】
ここで、無線パラメータは、無線ネットワーク８００への接続に際して必要となる情報であり、例えば、ネットワーク名、周波数チャネル、暗号方式、暗号鍵、認証方法、パスコードなどを含むものである。なお、上記のステップにおいてアクセスポイント６００から無線通信装置７００に転送される無線パラメータとしては、少なくとも、暗号鍵が挙げられる。暗号鍵は、例えば、Ｄｉｆｆｉｅ−Ｈｅｌｌｍａｎ公開鍵である。
【００７４】
最後に、無線通信装置７００の制御部７７０が、取得した無線パラメータなどの設定情報を用いて、無線ネットワーク８００に接続する（ステップＳ３０５）。このような登録プロトコルに実行により、無線通信装置７００は、アクセスポイント６００と共通の暗号鍵を用いた通常のデータ通信を行うことが可能となる。
【００７５】
[効果]
本実施の形態では、ネットワーク識別情報などを示す画像情報（ＱＲコード）がコンテンツリストとともに画面に表示されるようにしたので、画像情報（ＱＲコード）が表示された表示画面の傍にいる人だけがカメラ付きの無線通信装置７００で画像情報を撮像し、撮像した画像情報（ＱＲコード）を利用して無線ネットワーク８００に接続し、コンテンツを取得することが可能となる。ここで、無線通信装置７００は、無線ネットワーク８００に接続する機能と、カメラを備えていればどのようなものであってもよく、事前の登録がなされているなどの、特定のものである必要はない。また、本実施の形態では、アクセスポイント６００のボタンを押したり、アクセスポイント６００に対して何らかの設定操作を行ったりする必要がない。そのため、アクセスポイント６００が置かれている場所から離れた場所でも、無線通信装置７００を無線ネットワーク８００に接続したり、アクセスポイント６００を天井裏などの、人の手が届きにくい場所に設置したりすることも可能である。したがって、本実施の形態では、ユーザの使い勝手を損なうことなく安全に無線ネットワーク接続を行うことができる。
【００７６】
＜２．変形例＞
以上、実施の形態および変形例を挙げて本発明を説明したが、本発明はこれらに限定されず、種々の変形が可能である。
【００７７】
例えば、上記実施の形態等では、レコーダ２００、デジタルＴＶ５００、アクセスポイント６００および無線通信装置７００のそれぞれの記憶部に、無線通信装置７００の登録および無線通信装置７００へのコンテンツ転送のためのプログラムが格納されていたが、そのようなプログラムの代わりに、無線通信装置７００の登録および無線通信装置７００へのコンテンツ転送を実行する回路がレコーダ２００、アクセスポイント６００および無線通信装置７００に組み込まれていてもよい。
【００７８】
また、上記実施の形態等では、アクセスポイント６００は、レジストラ機能を有していたが、レジストラ機能を有していなくてもよい。ただし、その場合には、例えば、図１１に示したように、アクセスポイント６００とは別体で形成されたレジストラ９００を、有線ネットワーク１００に接続しておくことが必要である。なお、レジストラ９００は、レジストラ機能を有するものであり、上記実施の形態等におけるレジストラ部６６０と同様の機能を有している。
【符号の説明】
【００７９】
１…ネットワークシステム、１００…有線ネットワーク、２００…レコーダ、２１０…記録再生部、２２０，５１０…放送受信部、２３０，５６０，７６０…記憶部、２４０…映像・音声出力部、２５０，４４０，５４０…リモコン受信部、２６０，４５０，５５０…リモコン送信機、２７０，５７０…ネットワーク接続部、２８０，４６０，５８０，７７０…制御部、３００…インターフェースケーブル、４００，５００…デジタルＴＶ、４１０…映像・音声入力部、４２０，５２０…信号処理部、４３０，５３０…モニタ、６００…アクセスポイント、７００…無線通信装置、７１０…無線ネットワーク接続部、７２０…アンテナ、７３０…カメラ、７４０…手入力部、７５０…表示部、８００…無線ネットワーク、９００…レジストラ。
【図１】
2011259372.tif 000003
【図２】
2011259372.tif 000004
【図３】
2011259372.tif 000005
【図４】
2011259372.tif 000006
【図５】
2011259372.tif 000007
【図６】
2011259372.tif 000008
【図７】
2011259372.tif 000009
【図８】
2011259372.tif 000010
【図９】
2011259372.tif 000011
【図１０】
2011259372.tif 000012
【図１１】
2011259372.tif 000013